(57)【要約】【課題】本発明は、従来技術の問題を解決し、栞の差し替え回数を減らすことができ、意に反して書物が閉じたときでも読み進んだページを簡単に開くことができるとともに、ページを捲るときに捲り易い栞を提供することにある。【解決手段】本発明は、栞本体部２０の幅を従来一般に使用されていた栞の幅にとどめて、栞の重量を軽くし、栞本体部２０と栞部３０の対向する間隔をある程度狭くしてページ面での摩擦力を高め、栞３３を書物の幅内である程度移動しても脱落しないように構成される。また、本発明は、栞本体部２０と栞部３０の間に狭幅の連続部３１を設けると共に、栞部３０の先端に行くに従ってその幅が漸次狭くなっていくように構成される。【選択図】図１４
2005001370.tif 000002
【特許請求の範囲】
【請求項１】
書物の未読側ページ間に挿入される栞本体部と、該栞本体部の挟まれたページに対し複数ページ離れた目印のページに挟み込むようにした栞部とを備えた栞において、前記栞本体部は短冊形に形成され、前記栞部は前記栞本体部の短辺より狭幅に形成され、前記栞本体部の一方の短辺近傍中央部で前記栞本体部に連続し前記栞本体部の他方の短辺方向に前記栞本体部に対向してほぼ平行に延在することを特徴とする栞。
【請求項２】
前記栞本体部の一方の短辺を同一幅で延長し該延長部を前記他方の短辺の方向に折り曲げ、前記延長部の先端のほぼ中央部に前記栞部を連続したことを特徴とする請求項１記載の栞。
【請求項３】
前記栞本体部の短辺から前記栞本体部と前記栞部との連続部までの前記栞本体部の一部をつまみ部としたことを特徴とする請求項１又は請求項２記載の栞。
【請求項４】
書物の未読側ページ間に挿入される栞本体部と、該栞本体部の挟まれたページに対し複数ページ離れた目印のページに挟み込むようにした栞部とを備えた栞において、前記栞本体部は短冊形に形成され、前記栞部は前記栞本体部の短辺より狭幅に形成され、前記栞本体部の一方の短辺近傍中央部で前記栞本体部に前記栞部の幅より狭い括れを有する連続部を介して連続され前記栞本体部に対向してほぼ平行に延在することを特徴とする栞。
【請求項５】
前記栞部の幅は、栞部の先端部に行くに従って、漸次狭くなっていることを特徴とする請求項４記載の栞。
【請求項６】
書物の未読側ページ間に挿入される栞本体部と、該栞本体部の挟まれたページに対し複数ページ離れた目印のページに挟み込むようにした栞部とを備えた栞において、前記栞本体部は短冊形に形成され、前記栞部は前記栞本体部の短辺より狭幅で且つ先端部に行くに従って漸次狭くなっていることを特徴とする栞。
【請求項７】
前記栞本体部の一方の短辺を同一幅で延長し該延長部を他方の短辺の方向に折り曲げ、前記延長部の先端のほぼ中央部に前記栞部を連続したことを特徴とする請求項４乃至請求項６記載の栞。
【請求項８】
前記栞の素材は、少なくとも前記栞部が厚さ約０．１５mmから０．２mmであることを特徴とする請求項１乃至請求項７記載の栞。
【請求項９】
前記栞本体部の大きさは約幅４５mm、長さ１２５mmであることを特徴とする請求項１乃至請求項８記載の栞。
【請求項１０】
前記栞の素材は、少なくとも前記栞部が塩化ビニルであることを特徴とする請求項１乃至請求項９記載の栞。
【請求項１１】
前記栞の素材は、少なくとも前記栞部が透明な塩化ビニルであることを特徴とする請求項１乃至請求項１０記載の栞。
【発明の詳細な説明】
【技術分野】
【０００１】
本発明は、書物のページ間に挟みこんで目印とする栞に係り、特に栞の差し替え回数を減らし、意に反して書物が閉じたときでも読み進んだページを簡単に開くことができる栞に関する。
【背景技術】
【０００２】
従来の栞は、紙などの素材で、横４５mm、縦１２５mm程度の大きさの短冊状に形成し、その上部に飾紐を結びつけたものが一般に使用されている。しかし、この短冊状に形成された栞は脱落しやすく、また読書を始めるときに差し替え、読書を中断するときにも差し替えるなど栞の差し替え回数が多い。また、読書中に、意に反して書物が閉じてしまったときには、読み進んだページを探さなければならないという問題があった。
【０００３】
この問題を解決するものとして提案されたものに、特開２００２−３７０４７４号公報に開示された栞がある。この栞は、書物のページ間に挟まれ固定される平面ほぼ四角形の被挟持体と、この被挟持体の一辺に取り付けられた狭幅の舌状の突出部分を設け、この突出部分を被挟持体に対向させるように折り曲げたものである。この突出部分は、被挟持体が挟まれたページに対し複数ページ離れた目印のページに挟み込むようにした栞部となっている。
【０００４】
しかし、この従来技術の栞は、脱落を防ぐために基本的に被挟持体の一辺を書物の綴り部に接して挟み込むようにして使用するので、サイズの異なる書物に対応することができず、書物のサイズに合った被挟持体を備えた栞を使用する必要がある。また、被挟持体が大きくなり使い勝手が悪かった。また、被挟持体と栞部の間の弾力部にくぼみ線が設けられ、強力な弾力性を生じるので、ページを捲るときに捲りにくいという問題があった。
【特許文献１】特開２００２−３７０４７４号公報
【発明の開示】
【発明が解決しようとする課題】
【０００５】
本発明は、特開２００２−３７０４７４号公報に開示された従来技術の問題を解決し、栞の差し替え回数を減らすことができ、意に反して書物が閉じたときでも読み進んだページを簡単に開くことができるとともに、ページを捲るときに捲り易い栞を提供することにある。
【課題を解決するための手段】
【０００６】
請求項１の発明は、書物の未読側ページ間に挿入される栞本体部と、該栞本体部の挟まれたページに対し複数ページ離れた目印のページに挟み込むようにした栞部とを備えた栞において、前記栞本体部は短冊形に形成され、前記栞部は前記栞本体部の短辺より狭幅に形成され、前記栞本体部の一方の短辺近傍中央部で前記栞本体部に連続し前記栞本体部の他方の短辺方向に前記栞本体部に対向してほぼ平行に延在することを特徴とする栞である。
請求項２の発明は、前記栞本体部の一方の短辺を同一幅で延長し該延長部を前記他方の短辺の方向に折り曲げ、前記延長部の先端のほぼ中央部に前記栞部を連続したことを特徴とする請求項１記載の栞である。
請求項３の発明は、前記栞本体部の短辺から前記栞本体部と前記栞部との連続部までの前記栞本体部の一部をつまみ部としたことを特徴とする請求項１又は請求項２記載の栞である。
請求項４の発明は、書物の未読側ページ間に挿入される栞本体部と、該栞本体部の挟まれたページに対し複数ページ離れた目印のページに挟み込むようにした栞部とを備えた栞において、前記栞本体部は短冊形に形成され、前記栞部は前記栞本体部の短辺より狭幅に形成され、前記栞本体部の一方の短辺近傍中央部で前記栞本体部に前記栞部の幅より狭い括れを有する連続部を介して連続され前記栞本体部に対向してほぼ平行に延在することを特徴とする栞である。
請求項５の発明は、前記栞部の幅は、栞部の先端部に行くに従って、漸次狭くなっていることを特徴とする請求項４記載の栞である。
請求項６の発明は、書物の未読側ページ間に挿入される栞本体部と、該栞本体部の挟まれたページに対し複数ページ離れた目印のページに挟み込むようにした栞部とを備えた栞において、前記栞本体部は短冊形に形成され、前記栞部は前記栞本体部の短辺より狭幅で且つ先端部に行くに従って漸次狭くなっていることを特徴とする栞である。
請求項７の発明は、前記栞本体部の一方の短辺を同一幅で延長し該延長部を他方の短辺の方向に折り曲げ、前記延長部の先端のほぼ中央部に前記栞部を連続したことを特徴とする請求項４乃至請求項６記載の栞である。
請求項８の発明は、前記栞の素材は、少なくとも前記栞部が厚さ約０．１５mmから０．２mmであることを特徴とする請求項１乃至請求項７記載の栞である。
請求項９の発明は、前記栞本体部の大きさは約幅４５mm、長さ１２５mmであることを特徴とする請求項１乃至請求項８記載の栞である。
請求項１０の発明は、前記栞の素材は、少なくとも前記栞部が塩化ビニルであることを特徴とする請求項１乃至請求項９記載の栞である。
請求項１１の発明は、前記栞の素材は、少なくとも前記栞部が透明な塩化ビニルであることを特徴とする請求項１乃至請求項１０記載の栞である。
【発明の効果】
【０００７】
本発明によれば、栞における被挟持体の一辺を書物の綴り部に接して挟み込むようにして使用しなくてもよく、また、ページを捲るときに捲り易くなる効果がある。
【発明を実施するための最良の形態】
【０００８】
次に、図面を用いて実施の形態を詳細に説明していく。
【０００９】
図１は本発明による実施の形態を示した例である。図２は図１における左側面図を示している。図１、図２において、１は短冊状に形成された栞本体部で、大きさ約横４５mm、縦１２５mmの平面長方形の短冊形に形成された厚手の用紙素材を使用することができる。２は書物のページ間に挟みこんで目印とする栞部で、柔軟性のある透明な素材で例えば厚さ０．１５mmから０．２mm程度の塩化ビニルを使うことができる。栞部２は、栞本体部１より狭幅に作られ、栞本体部１の一方の短辺付近で連続されている。そして、栞本体部１と栞部２の間に複数のページが挟み込まれるようになっている。３は栞本体部１と栞部２の接着部分である。
【００１０】
栞本体部１の大きさは従来一般に使用されている栞と同程度の横幅、縦幅とすることで軽量にすることができ、栞本体部１と栞部２の間に挟まれたページとの摩擦力で十分に脱落を防止することができる。従って従来技術のように、栞本体部の一辺が書物の綴り部に密着して挟み込まれるようにセットする必要はなく、書物の幅内で任意の位置にセットして使用することができる。栞部２は上記のような素材が使われるので十分な柔軟性を有し、ページを捲るとき楽に捲ることができる。栞本体部１の素材は、栞部２と同じ素材とすることもできるが、他の素材例えば厚手の用紙を使用することもできる。
【００１１】
図３は図１の実施形態の変形例で、図４は図３における中央縦断左側面図である。４は短冊状に形成された栞本体部で、大きさ約横４５mm、縦１２５mmの平面長方形の短冊形に形成されている。図３、図４からも分かるように栞部５は栞本体部４から切起こして形成されている。栞本体部４と栞部５の素材は上に述べた栞部２に使用したものと同じ柔軟性のある透明な素材で、例えば厚さ０．１５mmから０．２mm程度の塩化ビニルを使うことができる。このように栞部５を栞本体部４から切起こして一体に作ると接着する部分が不要となり、大量生産する場合に好適である。
【００１２】
図５は上記実施形態の栞を書物６に挟んだ使用例を示したものである。栞本体部１、４は未読側ページ間に差し込まれ、栞部２、５は目印のページに差し込まれる。図５に示したように本実施例の栞は書物６の横幅に対し任意の部位に移動しても十分脱落に耐えることができる。また、栞部に透明な素材を使用しているので栞部を通して文字が透けて見え、文字を読むとき邪魔にならず読書を楽しむことができる。
【００１３】
本実施形態によれば、栞本体部１または４を従来技術の栞における被挟持体のように一辺を書物の綴り部に接して挟み込むようにして使用しなくてもよく、書物６の横幅に対し任意の部位で拾数枚の紙面を挟み込むことによって読書に支障なく楽に読み進めることができる。
【００１４】
図６乃至図９に示したものは、本発明による他の実施の形態を示した例である。図６は、図７に示した栞部８と図８に示した栞本体部７を符号９ａ、９ｂの部分で接合し栞を完成させたものである。図９は、図６における左側面図を示している。栞部８は、栞本体部７の一辺と接合する側が栞本体部７の幅と同一になる形状に成形され、その端部に設けられた接着部９ａと栞本体部８に設けられた接着部９ｂの部分で接着剤あるいは熱溶着などにより固着されている。
【００１５】
７は短冊状に形成された栞本体部で、大きさ約横４５mm、縦１２５mmの平面長方形の短冊形に形成されている。栞本体部７の素材は、接着剤などで栞部８に固着するときは厚手の用紙素材、また熱溶着などにより固着するときは栞部８の素材に合わせて塩化ビニルを使用することができるが、固着が容易なものであればこれに限るものではない。
【００１６】
８は書物のページ間に挟みこんで目印とする栞部で、柔軟性のある透明な素材で例えば厚さ０．１５mmから０．２mm程度の塩化ビニルを使うことができる。栞本体部７と栞部８の間に複数のページが挟み込まれるようになっている。栞本体部の大きさは従来一般に使用されている栞と同程度の横幅、縦幅とすることで軽量にすることができ、栞本体部７と栞部８の間に挟まれた紙面との摩擦力で十分に脱落を防止することができる。この実施例の場合、栞部８は幅の狭い部分ではなく幅の広い部分に同一方向で連続するので、栞部８が切れ難くなるという効果を生じる。栞部８は上記のような素材が使われるので十分な柔軟性を有し、ページを捲るとき楽に捲ることができる。
【００１７】
図１０は図６の実施形態の変形例で、図１１で示したように、栞本体部１０と栞部１１を同一のシートから型で打ち抜きにより成形し、折り曲げ部１２で折り曲げたものである。図１２は図１０の左側面図である。図１０乃至図１２から容易に分かるように栞本体部１０と栞部１１は一体として形成されている。この例では栞本体部１０と栞部１１の素材は上記した柔軟性のある透明な素材で例えば厚さ０．１５mmから０．２mm程度の塩化ビニルを使うことができる。図１１から明らかなように、栞部１１は栞本体部１０を同一幅で延長し、延長した先端のほぼ中央に連続している。このようにすると栞部の幅の狭い部分ではなく幅の広い延長部分で折り曲げられるので、栞部１０が切れ難くなるという効果を生じる。また、延長部分で折り曲げて成形されるので接着する部分が不要となり、大量生産する場合に好適である。
【００１８】
図１３は図１０に示した実施形態の栞を書物６に挟んだときの使用例を示したものである。図１３に符号１３で示したものは、栞本体部１０を補強する厚手の用紙などで作られた補強部材であり、栞本体部１０とほぼ同一形状の短冊状に形成されている。この補強部材１３は図１３に示したように栞本体部１０に貼り合わせて使用される。このようにすると成形されるシートに薄い素材を使用したものでも、栞本体部１０は補強され丈夫なものとなる。栞本体部１０が丈夫であるので書物に挟みやすくなり、また栞部１１は薄い素材のままなのでページを捲るに適した強度となる。本実施例の栞は軽量であり、書物６の横幅に対し任意の部位に移動しても実施例１と同様に十分脱落に耐えることができる。また、栞部に透明な素材を使用しているので栞部を通して文字が透けて見え、文字を読むとき邪魔にならず読書を楽しむことができる。
【００１９】
本実施形態によれば、従来技術の栞における被挟持体のように一辺を書物の綴り部に接して挟み込むようにして使用しなくてもよく、書物６の横幅に対し任意の部位で拾数枚の紙面を挟み込むことによって読書に支障なく楽に読み進めることができる。
【００２０】
図１４乃至図２２に示したものは、本発明による更に他の実施の形態を示した例である。図１５は図１４の左側面図を示している（但し、折れ線２８，２９部分で更に折り曲げた状態を示している）。
【００２１】
図１４の栞３３は、図１６に示した栞本体部２０と、図１８に示した栞部３０が形成された部材３２からなっており、図１５に示したように、栞本体部２０の一端を部材３２の屈曲凹部に差し込んで一体になるように構成されている。栞本体部２０は、大きさ約横４５mm、縦１２５mmの平面長方形の短冊形に形成されている。図１８に示された栞部３０が形成された部材３２は、柔軟性のある透明な素材で例えば厚さ０．１５mmから０．２mm程度の塩化ビニルを使うことができる。図１７は部材３２を平面に展開した状態を示しているが、上記素材を型により打ち抜いて作ることができる。
【００２２】
図１７に示された符号２２、２５、２８、２９は部材３２を折り曲げて図１９で示した形状に成形するための折り曲げ部である。符号２１、２３、２６、３０、３１はそれぞれの折り曲げ部の折れ線で区画された平面部である。符号３０の部分は書物のページ間に挟みこんで目印とする栞部となる。部材３２は図１９のように折り曲げ成形されているので、図１５で示したように平面部２３、２６で栞本体部２０を挟み込んだとき素材の弾性力によって栞本体部２０が把持される。
【００２３】
また部材３２には、図１９のように折り曲げられたとき対向する位置に図１７で示したような孔２４、２７を設けることができ、更に栞本体部２０にも差し込んだときに孔２４、２７に対応する部分に孔を設けることができる。これらの孔を通して飾り紐を結びつけることにより栞本体部２０と部材３２をより確実に固定することができる。また、栞本体部２０と部材３２は容易に分離することができ、例えば栞本体部２０に絵柄があるものを使用する場合に好みの絵柄の他の栞本体部２０に容易に交換することができる。栞本体部２０を交換しない場合は、部材３２の屈曲凹部に差し込まれた栞本体部２０を接着剤などで固着してもよい。
【００２４】
また、平面部２１は図１９に示すように外側に折り曲げられている。この平面部２１は書物に栞本体部２０を差し込んだとき、栞３３が書物に潜り込むのを防止するためのストッパーとなる。これにより栞３３を書物に差し込んだとき常に栞部３０の位置が安定する効果がある。
【００２５】
また、符号３１で示した部分は栞本体部２０側に栞部３０を連続する連続部を示しており、ほぼ円弧状に両側から窄められ括れた形状をなしている。これは後述するように、書物のページを捲るときの栞部３０の反発強度を適度に保つために設けられたものである。更に、書物のページを捲るときにより容易に捲ることができるようにするため、栞部３０は先端に行くに従って漸次幅が狭まるように形成されている。この実施例の場合も、栞部３０は幅の広い平面２６に連続するので、栞部３０が切れ難くなるという効果を生じる。
【００２６】
次に、栞３３を書物に差し込み、ページを捲るときの栞３３の作用を図２０乃至図２２を使って説明する。
図２０は書物３４に栞３３を差し込んだときのようすを示している。栞３３は書物３４の横幅内で任意の位置に差し込むことができる。
図２１は書物３４に栞３３を差し込んで、目的のページを開いたところを示している。栞部に透明な素材を使用しているので栞部を通して文字が透けて見え、文字を読むとき邪魔にならず読書を楽しむことができる。
【００２７】
図２２はページ３５を捲っている状態を示している。ページ３５を捲るに従って、ページ３５の上辺は連続部３１に近い部分から栞部３０の先端方向へと栞部３０に接しながら、栞部３０を跳ね上げるようにして移動する。そして、ページ３５の上辺が栞部３０の先端から離れると、栞部３０は部材３２の弾性力によりページ３６に接するように戻る。本実施例では、このとき連続部３１は括れているので、栞部３０を軽い力で跳ね上げることができ、しかも連続部３１がやや捩れるように作用するので、ページをより軽く、より滑らかに捲ることができるという効果を生じる。ページ３５の紙面を捲るときの栞部３０の反発力と、ページ３６の紙面に戻るときの栞部３０の力は連続部３１の窄まり加減で調節することができる。また、栞部３０は先端に行くに従って漸次幅が狭くなるように形成されているので、ページ３５を捲るときページ３５の上辺が栞部３０に対し引っかかり難くなり、滑らかに移動させることができるという効果を生じる。
【００２８】
上記実施例では、連続部３１の括れは両側から円弧状に窄めるようにして形成しているが、上記実施例で説明した効果を生じるものであれば円弧状に限定されることはない。また、栞本体部の大きさは約横４５mm、縦１２５mmの平面長方形の短冊形に限定されることなく、本発明の主旨を逸脱しない範囲で適宜の大きさ、形状にすることができる。
また、栞本体部と栞部とを一体としても、別体としても構わない。一体の場合には、打ち抜き成形等でワンステップで作成できる。
【図面の簡単な説明】
【００２９】
【図１】本発明における栞の一実施例を示す正面図
【図２】図１の左側面図
【図３】本発明における栞の一実施例を示す正面図
【図４】図３における中央縦断左側面図
【図５】図１、図３に示した実施形態の栞を書物に挟んだ使用例を示した図
【図６】本発明における栞の他の一実施例を示す正面図
【図７】図６における栞部を示した図
【図８】図６における栞本体部を示した図
【図９】図６の左側面図
【図１０】本発明における栞の他の一実施例を示す正面図
【図１１】図１０の平面展開図
【図１２】図１０の左側面図
【図１３】図１０に示した実施形態の栞を書物に挟んだ使用例を示した図
【図１４】本発明における栞の更に他の一実施例を示す正面図
【図１５】図１４の左側面図
【図１６】図１４における栞本体部を示した図
【図１７】図１４における栞部の平面展開図
【図１８】図１４における栞部の正面図
【図１９】図１４における栞部の側面図
【図２０】図１４に示した実施形態の栞を書物に挟んだ使用例を示した図
【図２１】図１４に示した実施形態の栞を書物に挟み目的のページを開いた使用例を示した図
【図２２】図１４に示した実施形態の栞を書物に挟み、次の目的のページを開こうとしている使用例を示した図
【符号の説明】
【００３０】
１、４、７、１０、２０・・・栞本体部
２、５、８、１１、３０・・・栞部
６、３４・・・書物
９ａ、９ｂ・・・接着部
１３・・・補強部材
２１、２３、２６・・・折り曲げ部２２、２５、２８で区画された平面部
１２、２２、２５、２８、２９・・・折り曲げ部
２４、２７・・・孔
３１・・・連続部
３２・・・栞部が形成される部材
３３・・・栞
【図１】
2005001370.tif 000003
【図２】
2005001370.tif 000004
【図３】
2005001370.tif 000005
【図４】
2005001370.tif 000006
【図５】
2005001370.tif 000007
【図６】
2005001370.tif 000008
【図７】
2005001370.tif 000009
【図８】
2005001370.tif 000010
【図９】
2005001370.tif 000011
【図１０】
2005001370.tif 000012
【図１１】
2005001370.tif 000013
【図１２】
2005001370.tif 000014
【図１３】
2005001370.tif 000015
【図１４】
2005001370.tif 000016
【図１５】
2005001370.tif 000017
【図１６】
2005001370.tif 000018
【図１７】
2005001370.tif 000019
【図１８】
2005001370.tif 000020
【図１９】
2005001370.tif 000021
【図２０】
2005001370.tif 000022
【図２１】
2005001370.tif 000023
【図２２】
2005001370.tif 000024